(57)【要約】      （修正有）【課題】ネジに関し、さらに詳しくはポール型ネジに関するものである。【解決手段】ポール型ボルトネジ４は鉄のかべに部材を設け、固定をするものである。クランク角３２°の角を有し、鋭い歯車のかみ合わを用し、ボルト軸６に対してエツクス字型みぞを持っもので有る。これは強い水流に充分に耐え、い力を発輝するものである。又半導体素材を使用し、絶縁性が強いものである。【選択図】図２
2018165570.tif 000002
【特許請求の範囲】
【請求項１】
部材１、２により固定し、５を領域部に完全に固定するのである。
【請求項２】
４、１７°の傾斜角度のネジ山２４ｍｍ  φ１６ｍｍナツトが挿入されて固定。
【請求項３】
ステンレスを使用する事で、サビに強く、丈夫である。
【請求項４】
６、ナツト２６ｍｍ  φ１７．５〜１８ｍｍを始め全長が５３ｍｍである。
４にネジ山があ１、２にはネジ山が無く４の動く範囲が限られる。
【請求項６】
マルチベンダの環境による最適な機器に最適である、ポール型ネジを提供する。
ワーク供給装置、パレタイザー各部に本発明ポール型ネジを使用するのは大変有効且つ合理的である。
【請求項７】
又、組立関係に於いては、セル方式部品ＡＳＳＹライン、レーザーマーカ刻印システム、半自動ＹＡＧ溶接組付システム、パーツフイーダー組立装置、油圧かしめ装置、その他の部類に本発明ポール型ネジを使用すると大変、効果が期待される。
【請求項８】
各種コンベア、半自動出荷ヤード、インライン仕様トレーチエンジヤ、ワーク整列システム、Ｕ字型セルラインなどポール型ネジを使用すると大変有効である。
【請求項９】
自動車部品によるリークテスター、非接触高さ、長さ測定用、バランス測定各測定治具、ゲージなど多種多様に本発明ポール型ネジが使用されるのである。
【請求項１０】
又この本発明ポール型ネジは、リールｔｏリールライン装置、印刷関連機器、食品関連用省力装置、各種装置、自動機の新規設、などのネジ部品に使用すると有効である。
【請求項１１】
電動ツール、エアツールによる部品にポール型ネジを使用されることは、高い信頼性と再現性が求められる自動車業界になくてはならない実績がある。
【請求項１２】
マルチベンダー環境による最適な機器など、本発明ポール型ネジを使用することが必要不可欠である。
その他自転車、バツテリなどにも使用することで合理性がなされるのである。
【発明の詳細な説明】
【産業上の利用分野】
【０００１】本発明はネジに関し、さらに詳しくは部材に予めポール型ネジに関するものである。
【背景技術】
【０００２】ボルトは、振動のある所、動き、回転のある部分に使われる物で必ずゆるみますが本発明ポール型ネジはゆるまないのが特微である。【０００３】発明が解決しようとする課題
部材１、２、ネジを挿入する４とネジあり領域とにより、ネジのゆるみが全くなく、一度ネジを固定すると外れにくいポール型ネジ提供することを課題とする。【０００４】課題を解決する為の手段
部材１、２によりネジ部を貫通してネジ部を突出させた状態で第１の部材と第２の部材ネジ接合する為の調整するネジおいて、前記第１の部材が形成され軸部に設けたことを特微とするポール型ネジである。
【作用】
【０００５】本発明によれば部材をうまく固定することで、容易に調整することができる。
振動、回転をする時には、半永久的にゆるむことがない。
【０００６】実施例以下、本発明を図面に基づいて詳細に説明する。
［図１］は、本発明のポール型ネジの実施例を示す図である。
１、２は部材、３、５はネジ無し部  ４、ネジ部１７°傾斜φ１６ｍｍ  ｌ２４ｍｍ  ６、ナツト２６ｍｍ  φ１７．５〜１８ｍｍはネジを切り、はしから１１ｍｍで静止する。ステンレス鋼を使用し、その素材を示す。軽量化耐久性、サビに強い、溶接性用途に最適である。
【０００７】３、１１ｍｍネジナシ部φ１４ｍｍ  ４、１７°傾斜ネジ２４ｍｍ  φ１６ｍｍ  ５、ネジナシ部１８ｍｍ  φ１４ｍｍ  ６ナツトｌ２６ｍｍ  φ１７．５〜１８ｍｍであり、ポール型ネジの素材としてはステンレス鋼に限らずゲルマニウムメツキ素材を使用することもあり得ます。
【０００８】発明の効果
以上のように、本発明によればネジの軸部の周囲に狭持部を設けた為用意にネジを部材のネジナシのところにセツトし、外れにくいという効果をえる事ができる。各種工業ラインに於いてこのポール型ネジを使用すると効果がより期待されるのである。
【０００９】ポール型ネジは、ステンレス鋼ＳＵＳ３０４を使用するとサビに強く、ダイアモンドのようなかたさであり、低温度に耐え、がんじようである。
１、２の部材により固定され、５によるネジナシ部分を挿入され、４のネジありの領域により、確実に固定され、必要性により、ゲルマニウムメツキ素材を使用するのである。こうする事で絶緑効果がよりいっそう期待されるのである。
【００１０】全長が５３ｍｍ  φ１４〜１６ｍｍで３、ネジナシ部１１ｍｍ  ４、ネジあり２４ｍｍ  ５、ネジナシ１８ｍｍで左ネジを持ち、右回わりに対し、左ネジを使用するのである。物理学的にも自然の法則を曲げることはできないのである。
【００１１】リークテスタを始めとして、圧力試験、流量試験、押し込試験  引っ張り試験などにより、本発明ポール型ネジの耐久性はすぐれて折り、今後実用化に向け一歩前進をなしとげるものである。
【００１２】自動的に良品、不良品を選別するにはワークをシール治具に入れるだけで、自動的に漏れ検査をし、自動送り装置を使用、全自動で良品、不良品を選別し、生産ラインに流すことができるのである。
【００１３】液体式の場合は、洗浄油を使用して検査すれば、洗浄工程を兼ねることが出来る。
【００１４】電気信号により、指示計及び表示ランプで表示され、外部へ良品、不良品の表示し、自動選別機により、簡単に接続することが出来るのである。操作が簡単、量産ラインに組み込み省力化がはかられるのである。
【００１５】漏れ検査の自動化にはシール治具が大切でワークに合った、シール計量方法をとらなければ高感度で漏れを測れまず各部に於いて本発明ポール型ネジがなされのである。
【００１６】高度センサと配管系統を採用し、高感度で速やかに漏れ検査が出来小型、汎用性、漏れ量の測定、全自動機への組み込みがある。
【００１７】ワーク内部を加圧し、外部への漏れによるワーク内の圧力変化を検出する方法に３を１７ｍｍ  φ１６ｍｍ  ４、３４°傾斜φ１６ｍｍ  ５、２０ｍｍ  φ１６ｍｍ  ５、３４°傾斜ネジにすることでこの治具として最適になるのである。
【００１８】ワークをチヤンバー内に置き、ワークの内部を加圧し、漏れによるチヤンバーの圧力変化を検出し、ワークとチヤンバー間の空間を小さくし、高感度で漏れを検出できる。
【００１９】現実には、漏れ検査を目視でおこない、数値的にとらえられなく、漏れ量０を検出する方法はないのである。
【００２０】ある限界量までの漏れを許容し、その限界量以上の漏れの有無を検出するのである。
【００２１】漏れては困るもの、ガス器具、水道器具、電気器具、食品・薬品雑貨品、自動車、その他、空・油圧関係、輪送関係、土木・建築関係、医療器具、ワーク容積、計測時間、設定差圧等を入力すると自動的に漏れ量が計算される。
【００２２】水没リークテスト、流量、直圧方式併用リークテスト、差圧方式ヘリウムリーク・テスガバーナー用、エアーリーク、ヘリウムリークはシール治具によるものである。
部材１、２により固定６ナツトを４に移動、５のネジ有りで完全に固定するのである。
【００２３】５を６にネジを切り、挿入、予め６を４に移動した後に５、７を製造ライン、装置に７を挿入し、負荷価値８に接続するのである。ベルトコンベア、ラインレス生産方式の足かかりとなる治具の一部に使用することで本発明のポール型ネジが有効で効果があるのである。
【００２４】大量製産に入るベルトコンベアに於いて１、２の部材はほとんどベルトコンベアに１、２、７が施されて折り、６のナツトが移動５が挿入され、負荷価値８に固定するのである。
【００２５】プリント基板の製造ラインには、ゲルマニウムメツキ素材を使用することで、電気エネルギーによる影響を受けない絶緑効果があるのである。導体と絶緑体の中間素材である半導体を使用したポール型ネジである。
【００２６】アルフアコンベアは軽量かつコンパクトな設計で構造もシンプルな為、部品やベルトなどの交換も容易で、プーリにはクラウ加工が施されている為ベルトの蛇行・片寄りの心配がなく、わずらわしい調整が不要である。これに本発明ポール型ネジを使用することでよりいっそうの効果があるのである。
【００２７】アルミで小型容量、手間いらず必要なピツチ、幅を調整、ベルトが常に最適、シンプル、スピードコントロールモータ用スイツチ、イ
2018165570.tif 000003
イドなどアルフアコンベアになくてはならない。
【００２８】ベルトコンベアの下から１０ｍｍ以内に本発明ポール型ネジを使用することで、確実にラインのスピード、蛇行、ねじれが全く無いのである。
【００２９】全長７４ｍｍ  １、２は１８ｍｍ  ４、２０ｍｍ  ５、２５ｍｍ  φ２８ｍｍ  ６、２０ｍｍ  φ２９ｍｍ、ＳｉＣ半導体ポール型ネジを使用。そ性素材を示すネジの発明である。圧縮、引張りのにい力を発揮するものである。
【００３０】ポール型ネジは左ネジで振動、回わし回転部のゆるみが有り、こうした事を解決しなければならなく、この左ネジ方式は、右回わりの動作に対し、左ネジはほとんどゆるむことがないのである。
【００３１】この発明ポール型ネジは５にフエライト磁石を使用し、湿気の多いところにも最適でトイレ用品、洗タク機  海洋性測定装置  下水道管理設備、などに対して必需品である。
７、８は５〜１０ｍｍの厚みのある補強材であらかじめ各種装置及び製造ラインにそなえられているのである。
【００３２】
2018165570.tif 000004
【００３３】
2018165570.tif 000005
のミゾを入れる事で湿気、ゴミの付着による不具合いを防止するのである。これは、一概に書き述べると弾性とそ性素材をかね備えるのである。
【００３４】これは、必要以上の重い重量が本発明ポール型ネジに加えられた時に、わずかな重量にゆがみが生じ、その後に、このネジ自体が折れ曲がります。このわずかな許容値の重量に充分耐える様に、×印型のみぞを４のネジ部に設けたのである。
【００３５】
2018165570.tif 000006
又圧縮、引張り、にも強度が施され、耐久力にすぐれているのである。
【００３６】又、５を短く１０ｍｍ程円錐形にすることで水道用具、トイレ、シヤワー用品による水圧を強く受けずに済む方法が
2018165570.tif 000007
である。
【００３７】真空中で、無重力化したところでは、半導体素材ＳｉＣ半導体ネジが使用され、高温、超低温に耐えうるのである。又海洋資源探査機にも使用されるのである。
【００３８】東西方向の風をＵとすれば風速Ｕの時間変化は、密度をρとして、ρ＝ｄｕ／ｄｔ＝東西方向の気圧傾度力、風は東向きに加速度をうけることになる。この為、気象観測に各種半導体素材ネジを使用することで効用、効果が期待されるのである。
【００３９】図２の４ネジの傾斜角を３７°にする事により、振動、衝撃回わりにより、ネジがゆるむことがない様に６のナツトに３個のクギ状のサシ金、金具を挿入し、部材１、２を貫通して、８の
2018165570.tif 000008
【００４０】これは、ダイアモンドのかたさと耐久力のあるステンレス鋼ＳＵＳ３０４を使用し、効用を果すものである。６のナツト３個所は時計の針、１２、５、７、の方向にサシ金、金具、傾斜７°でネ
2018165570.tif 000009
サシ金、金具のネジの全長のながさで有る。
【００４１】このサシ金、金具の形状はクギ状の形をして折り、強い衝撃、破壊に強く、負荷価値に対して強く発輝するものである。
又、これに強い磁石を使用、湿気にも抜郡のい力を発輝するフエライト磁石使用を特微とするものである。
【００４２】本発明ポール型ネジは棒状の長い形をして折り、部材１、２  １１ｍｍ  ネジ部分  φ１４ｍｍとネジあり部分４、１７°傾斜２４ｍｍ  φ１６ｍｍ  ５、ネジナシ部分１８ｍｍ  φ１４ｍｍ  ナツト２６ｍｍ  φ１７．５〜１８ｍｍから成るネジで有る。
【００４３】
2018165570.tif 000010
φ約１５ｍｍのあたりまでエツクス字型みぞが有り、弾性、そ性素材を示し効果適面である。
【００４４】６、ナツト２６ｍｍ  φ１７．５〜１８ｍｍにクギ状のボルト
2018165570.tif 000011
３０４、ゲルマニウムメツキ素材又、ＳｉＣ半導体素材を必要耐力素材に合わせ使用することが出来る。
【００４５】クギ状のサシ金、ボルトは７°の傾斜角度を持ち、９、８０６６５Ｎ  Ｎｉ／ＺＵ  ／エポキシ磁石を使用するのである。これによりサシ金ボルトが６のナツトから落下する事から軽減する事が出来るのである。
【００４６】ゲルマニウムメツキ素材の使用し、導体と絶緑体の中間素材で大変有望な素材で、サビに強く、軽量で超低温に耐えるのである。
【００４７】生造ラインのベルトコンベアには蛇行、ねじれ、たわみがなく、円滑なスピードが有り、このポール型ネジが数多く使用されるのである。又、モーター油圧Ｎ／ｍｍ２  Ｐａｓｃａｌ  Ｂｌａｔｅ  １６２７により油圧量を調整す。
【００４８】強い摩擦熱からベルトコンベを守る素材としては、ボールベアリングを各部回転体のある箇所に使用することで安全性がはかられ、仕事能率もよりいっそうＵＰするのである。
【００４９】図１  ３、４、５にステンレス鋼を使用し、４の部分に非常に強い強化プラスチツク素材をネジ有り部分にプラスαすることで軽量化、耐久性があのである。６、サツトには
2018165570.tif 000012
中まで行き静止させる７°のボルトネジφ２．５ｍｍである。
【００５０】
2018165570.tif 000013
ｍクギ状ボルトネジ長さ５７〜５９ｍｍで有り、ＳｉＣ半導体素材を使用、左ネジである。
【００５１】エツクス字型みぞは、水流の流れにも効果があり、弾性、そ性の効果、効用を示し、強い重量にも耐え抜くものである。９〜１２、エツクス字型みぞは振動、衝撃、回わる時にゆるみを押さえる働きがあるのである。
【００５２】先に述べたように本発明ポール型ネジは  ３〜５  １５０ｍｍ  １〜２  ３４ｍｍ  ４、４４ｍｍ  ５、２８ｍｍ  ６、４４ｍｍ  φ３５ｍｍで、これは大型の場合である。
【００５３】４が６のナツトによりネジを左回わりに左へ切るのである。
振動、衝撃、回わりにより、右ネジですとネジがゆるむのである。４、４４ｍｍ  ６、４４ｍｍ  φ３５ｍｍを左ネジにすることでネジがゆるむことが無いのである。
【００５４】ＪＩＳＨ−８６４１では容融亜鉛メツキ３５０ｇ／ｍ２載せないといけない。
【００５５】Ｍ８末満の場合ネジの谷底にメツキが溜まりナツトが入り難くなり、遠心分離機等を使用し、余分な亜鉛を除去する。
【００５６】但し、半ネジのボルトの場合の軸部に意識的にメツキを厚く乗せる事によって平均値を上げ３５０ｇ／ｍ２を満足させるのである。
【００５７】３５０ｇ／ｍ２の場合、およそ５０ミクロン、４９０ｇ／ｍ２の時７０ミクロン。亜鉛の比重は７、１３３である。
【００５８】一般の電気メツキユニクロクロナントなどの膜厚であるからナツトは入らず、太口のタツプしたものでないといけない。
【００５９】ミクロン値×７  ５０ミクロンで３５０ｇ／ｍ２の附着量である。どぶメツキは膜厚が５０ミクロンで非常に厚く付着し、電気メツキの約１０倍である。
【００６０】雄ネジの外径を削って、雄ねじの方で加減するのである。
谷を削ってはめあいを確保するのである。
【００６１】ナツトのつまりなどでスムーズにナツトが入らない事があり、打痕傷についてはメツキへ出す時に、それのない事を確認し取り扱いをていねいにする事で防止できるのである。
【００６２】タツプを切った際に発生する削り屑などが付着したまま溶融亜鉛メツキを施行すると、その屑の上にメツキが付いてしまい固くて入らなくなってしまうのである。
【００６３】充分に前処理をし、注意し、金属の融けた中に浸清する溶融亜鉛メツキの特性から１００％の良品は勤しいのである。
【００６４】ドブメツキ後の強度が８、８保持できるが人体への悪影響があり、使用する時には充分に気を付けなければいけないのである。
【００６５】本発明ポール型ネジは強化プラスチツク素材を使用し、ステンレスと強化プラスチツクプラスした素材のポール型ネジを特微とする。
【００６６】１〜２の部材に変わる事が各種工業装置にあり、これが鉄ぱんで５の１８ｍｍ  φ１４ｍｍが７の鉄ぱんに挿入され、ナツト２６ｍｍ  φ１７．５〜１８ｍｍが左へ移動し、８の鉄ぱんに挿入されて、本発明ポール型ネジの効果を発輝できるのである。これは小型の場合のネジである。
【００６７】ＳｉＣ（炭化珪素）半導体を用いて２００００ボルトの電圧に耐える整流素子を使用して、変電などの変換器には超高耐圧の半導体素子が必要である。
【００６８】ＳｉＣはＳｉより絶緑破壊や熱に強い特長を有し、次世代の電力変換用半導体としてすぐれているのである。
【００６９】２００００ボルト以上の耐圧を示すＰｉＮダイオード（整流素子）を実現し、１８０ミクロンの厚さを有する高純度ＳｉＣ結晶を用い、超高耐圧を得たのである。
【００７０】電界集中を緩和し、空間変調型接合終端構造を用いたのである。ポリイミド膜を用いた表面保護を施し、表面での放電を抑制した。
【００７１】低い電圧で素子は絶緑破壊を起こし、理論値の約半分（５０％）程度の耐圧しか得られない、ＰＮ接合の周辺部に局所的にアルミニウムを適切な密度でイオン注入し、２００００ボルト以上の耐圧である。
これにより上記のように本発明ポール型ネジに使用することでよりいっそう効果が期待されるのである。
【００７２】
2018165570.tif 000014
用すとき、メツキ付着量は５５０ｇ／ｍ２以上としており、長期防錆に優れている。
【００７３】ナツトはねじ加工後にメツキするため、ねじ部の防錆も十分確保され、ナツトはメツキ後に潤滑処理を施している
2018165570.tif 000015
行性に優れているのである。
【００７４】配管には、手動トルクレンチ、油圧ポルトテンシヨナ、フランジスプレツダ、油圧ブーラ、ステンレス製管フランジ、ステンレス製ねじ込み管継手、ステンレス製突合わせ溶接式管継手。
【００７５】ステンレス製サニターリ継手、回転継手、センタージヨイント、ロータリージヨイント、ロータリー洗浄ノズル各種伸縮継手、各種機能性カバー、各種粉粒体輸送用シユート、免震継手
【００７６】本発明ポール型ネジは上記のような部類以上に使用されるのである。
【００７７】ステンレスは鉄をベースにクロムやニツケルを含有した合金素材で、錆びない、耐食性、耐久性、強度が高く非磁性である。
【００７８】ステンレス板ＳＵＳ３０４は耐久性、耐食性に優れ、磁石がつく素材である。
【００７９】本発明ポール型ネジにステンレスを使用する事は大変優れ、丈夫で、軽量、ダイアモンドの様なかたさがあり使用するのである。
2018165570.tif 000016
【００８０】４、傾斜角度１７°ネジのｌ２４ｍｍ  φ１６ｍｍでナツト２６ｍｍ  φ１７．５〜１８ｍｍ、ナツトが部材１、２の方へ移動し鉄ぱん７に１〜５を挿入、８へ１〜２を接続し７、８
2018165570.tif 000017
【００８１】４のネジ山の谷に９〜１２のエツクス型のみぞを作り、水流と気体の影響に良くするためにネジの谷にみぞ９〜１２の４つのみぞを設けたので有る。
【００８２】水圧は、水により生じる水自体はまたは物体に及ぼす圧力のこと。水を伝達媒体とした圧力のことも水圧と呼ぶことが多い。
【００８３】容器の中に入れられた水は、容器側面や底面を押し、水中に物体があればそれを押し、水中に物体があればそれを押し、水分子同士も押し合うことを水圧というのである。
又作用・反作用、パスカルの原理により垂直、下方向の力が少し強くなると言う原理により４のネジの谷にエツクス字型みぞを設けたのである。
【００８４】気体の圧力、容器内の気体分子はどの分子も同じ力で壁に衝突し、容器の真ん中  付近の分子だけが勢いが強く、端の方の分子は勢いが弱い、Ｐ＝Ｆ／Ｓ分子の熱運動では、温度が高いほど、圧力は大きくなる。
このように９〜１２のみぞが何より大切なのである。
2018165570.tif 000018
【００８５】図３  ９、４２ｍｍ  ３２°φ３４ｍｍ  １０、１４ｍｍ  ３２°φ３４ｍｍ
2018165570.tif 000019
１４、ナツトあらかじめ９からナツト１５が右の方に移動  ４２ｍｍで静止し、１２〜１４のサシ金、金具を挿入、クギ状の金具である。１５、ナツトは９と１０の間の連結用のナツトである。１２〜１４のサシ金、金具は時計の針の１２、５、７、時の位置に有るのである。
【００８６】１２〜１４のクギ状のサシ金、金具は、ステンレス鋼ＳＵＳ３０４を使用することで耐久性、耐久力があり丈夫である。
【００８７】１２〜１４のサシ金、金具はφ２．８ｍｍで長さ１１．５ｍｍで１０、１４ｍｍのネジ無し部分に部材１〜２の鉄ぱんを入れ固定するものである。必要性により、部材がいらない製造ラインもある。
【００８８】図１〜図３は必要性のある所では、継手、各種ステンレス継手、各種コンベア、製造組立て関係、自動車部によるリークテスター、各測定用治具、電動ツール、エアツールＵ字型セルラインなど多様に使用されるために補助的に備えられるポール型ネジである。
【００８９】１２〜１４のサシ金、金具は重要性のあるところではボルトネジであり、７°のネジ山傾斜で有る。ナツトの長さ２４ｍｍである。
【００９０】１５、ナツトは９と１０を連結し、サシ金ボルトを取り去り１１へと移動するのである。
又１１から９へと移動し且つ９と１０によるところに１５、ナツトで連結をなすもので有る。図３によることは、工具を作業終了後に収納するものである。
【００９１】１２〜１４のサシ金、ボルトネジはフエライト磁石を使用、このボルトは＋であり、効用があり、静音設計がなされ、迅速且つ合理的である。
2018165570.tif 000020
【００９２】ＦＲＰは各種建築、資材、上下水道処理場覆蓋、機器設置軽量基礎、サンジエルＧは高い強度と耐水性を備えており、構造体として使用、ポール型ネジに応用すると強度に優れ、耐久性、耐久力、軽量化がはかられる素材である。
【００９３】繊維強化プラスチツク、ガラス繊維なとの繊維をプラスチツクの中に入れて強度を向上させた複合材料である。
【００９４】炭素繊維強化プラスチツクはエボキシ樹脂を用いカーボンと呼ばれ、強い強度と軽さを併せ持つ材料、ゴルフクラブのシヤフトト、釣り竿、航空機、自動車、産業用、建築、橋梁の耐震補強、建設分野など本発明ポール型ネジの補助的な部分に使用されるのである。
【００９５】その他、自動車フレーム、パーツ航空の翼、宇寅工学、ガラス繊維、ナイロン・ビニロンなどを補強材として加えたプラスチツク製品、自動車体、ボート、ヘルメツトである。
【００９６】プラスチツクの引張強さ、弾性率は２〜４ｋｇｆ／ｍｍ２、２００〜３００ｋｇｆ／ｍｍ２、鉄やアルミニウムの引張強さ１０〜５０ｋｇｆ／ｍｍ２弾性率７０００〜２１０００ｋｇｆ／ｍｍ２に対してかなり小さい、合成樹脂として生み出されたのが強化プラスチツクである。上記によりこのネジにはいかに強化プラスチツクが必要であるかが分かるのである。
【００９７】図１は本発明ポール型ネジである。
【００９８】図２は本発明ポール型ネジである。
【００９９】図３は本発明ポール形ネジである。
【０１００】繊維強化ゴムを部材１、２に使用する事も出来るのである。又、７、８に付いても同じ様に自動車のフロント、リヤーガラス、排気管の接続部と同じように使用する事でポール型ネジの性能が向上するのである。
【０１０１】又炭素繊維ＦＲＰにもこのネジが使用され続けられるのである。繊維強化プラスチツクにもこの本発明ポール型ネジにプラスチツクが使用され、耐久性、耐久力、丈夫であり、軽量化がはかられ、引張り強さ、弾性の点ではアルミニウムには少しすくないが、ＦＲＰにまちがいがないのである。
【図１】
2018165570.tif 000021
【図２】
2018165570.tif 000022
【図３】
2018165570.tif 000023
【図４】
2018165570.tif 000024
【図５】
2018165570.tif 000025
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
部材１，２により固定し、５領域部に完全に固定するのである。
【請求項２】
４、１７°の傾斜角度のネジ山２４ｍｍ  φ１６ｍｍナツトが挿入されて固定。
【請求項３】
ステンレスを使用するので、サビに強く、丈夫である。
【請求項４】
６、ナツト２６ｍｍ  φ１７．５〜１８ｍｍを始め全長が５３ｍｍである。４にネジ山があり１、２にはネジ山が無く４の動く範囲が限られる。
【請求項５】
マルチベンダの環境による最適な機器に最適である、ポール型ネジを提供する。
ワーク供給装置、パレタイザー各部に本発明ポール型ネジを使用するのは大変有効且つ合理的である。
【請求項６】
又、組立関係に於いては、セル方式部品ＡＳＳＹライン、レーザーマーカ刻印システム、半自動ＹＡＧ溶接組付システム、パーツフイーダー組立装置、油圧かしめ装置、その他の部類に本発明ポール型ネジを使用すると大変、効果が期待される。
【請求項７】
各種コンベア、半自動出荷ヤード、インライン仕様  トレーチエンジヤ、ワーク整列システム、Ｕ字型セルラインなどポール型ネジを使用すると大変有効である。
【請求項８】
自動車部品によるリークテスター、非接触高さ、長さ測定用、バランス測定各測定治具、ゲージなど多種多様に本発明ポール型ネジが使用されるのである。
【請求項９】
又この発明はリールｔｏリールライン装置、印刷関連機器、食品関連省力装置、各種装置、自動機の新規設、などのネジ部品に使用すると有効である。
【請求項１０】
電動ツール、エアツールによる部品にポール型ネジを使用されることは、高い信頼性と再現性が求められる自動車業界になくてはならない実績がある。
【請求項１１】
マルチベンダー環境による最適な機器など、本発明ポール型ネジを使用することが必要不可決である。
その他自転車、バツテリなどにも使用することで合理性がなされるものである。
【請求項１２】
ネジの山と谷径の角度３７°でクランク角にすぐれてネジの切れが、歯車のかみ合わせを示し、ボルト本来の不具合いが全く無いのである。
又ボルト軸にみぞをエツクス字型にほりこれにより強い水流に耐え利べん性がますのである。
【手続補正２】
【補正対象書類名】明細書
【補正対象項目名】全文
【補正方法】変更
【補正の内容】
【発明の詳細な説明】
【技術分野】
【０００１】本発明はネジに関し、さらに詳しくは部材に予めポール型ボルトネジに関するものである。
【背景技術】
【０００２】ボルトは、振動のある所、動き、回転のある部分に使われる物で必ずゆるみますが本発明ポール型ボルトネジはゆるまないのが特微である。【０００３】発明が解決しようとする課題
部材１、２、ネジを挿入する  ４とネジあり領域とにより、ねじのゆるみが全くなく、一度ネジを固定すると外れにくいポール型ボルトネジを提供することを課題とする。
【課題を解決する為の手段】
【０００４】部材１、２によりネジ部を貫通してネジ部を突出させた状態で第１の部材と第２の部材ネジを接合する為の調整するネジにおいて、前記第１の部材が形成され軸部に設けたことを特微とするポール型ボルトネジである。
【作用】
【０００５】本発明のよれば部材をうまく固定することで容易に調整することができる。
振動、回転をする時には、半永久的にゆるむことがない。
【０００６】実施例以下、本発明を図面に基づいて詳細に説明する。
［図１］は、本発明のポール型ボルトネジの実施例を示す図である。１、２は部材、３、５はネジ
2018165570.tif 000026
２４ｍｍ  ６、ナツト２６ｍｍ  φ１７．５〜１８ｍｍはネジを切り、はしから１１ｍｍで静止する。ステンレス鋼を使用し、その素材を示す。軽量化  耐久性、サビに強い、溶接性用途に最適である。
【０００７】３、１１ｍｍ  ネジナシ部  φ１４ｍｍ  ４、１７°傾斜ネジ  ２４ｍｍ  φ１６ｍｍ  ５、ネジナシ部  １８ｍｍ
2018165570.tif 000027
であり、ポール型ボルトネジの素材としてはステンレス鋼に限らずゲルマニウムメツキ素材を使用することもあり得ます。
【発明の効果】
【０００８】以上のように、本発明によればネジの軸部の周囲に狭持部を設けた為用意にネジを部材のネジナシのところにセツトし、外れにくいという効果をえる事ができる。各種工業ラインに於いてこのポール型ボルトネジを使用すると効果がより期待されるのである。
【０００９】ポール型ボルトネジは、ステンレス鋼ＳＵＳ３０４を使用するとサビに強く、ダイアモンドのようなかたさであり、低温度に耐え、がんじようである。
部材により固定され重要であり領域により、確実に固定され、必要性により、ゲルマニウムメツキ素材を使用するのである。こうする事で絶緑効果がよりいっそう期待されるのである。
【００１０】全長５３ｍｍ  φ１４〜１６ｍｍで３、ネジナシ部  １１ｍｍ  ４、ネジあり  ２４ｍｍ  ５、ネジナシ  １８ｍｍで左ネジを持ち、右回わりに対し、左ネジを使用するのである。
物理学的にも自然の法則を曲げることはできないのである。
【００１１】リークテストを始めとして、圧力試験、流量試験、引張り試験などにより、本発明ポール型ボルトネジの耐久性はすぐれて折り、今後実用化に向け一歩前進をなしとげるものである。
【００１２】自動的に良品、不良品を選別するにはリークをシール治具に入れるだけで、自動的に漏れ検査をし、自動送り装置を使用、全自動で良品、不良品を選別し、生産ラインに流すことができるのである。
【００１３】液体の場合は、洗浄油を使用して検査すれば、洗浄工程を兼ねることが出来る。
【００１４】電気信号により、指示計及び表示ランプで表示され、外部へ良品、不良品の表示し、自動選別機により、簡単に接続することが出来るのである。操が簡単、量産ラインに組み込み省力化がはかられるのである。
【００１５】漏れ検査の自動化にはシール治具が大切でリークに合った、シール計量方法をとらなければ高感度で漏れを測れます各部に於いて本発明ポール型ボルトネジがなされるのである。
【００１６】高度センサと配管系統を採用し、高感度で速やかに漏れ検査が出来、利更性がはかられているのである。
【００１７】リーク内部を加圧し、外部への漏れによるワーク内の圧力変化を検出す方法に３を１７ｍｍ  φ１６ｍｍ  ４、３４°傾斜  φ１６ｍｍ  ５、２０ｍｍ  φ１６ｍｍ  ５、３４°傾斜ネジにすることでこの治具として最適になるのである。
【００１８】ワークをチヤンバー内に置き、ワークの内部を加圧し、漏れによるチヤンバーの圧力変化を検出し、リークとチヤンバー間の空間を小さくし、高感度で漏れを検出できる。
【００１９】現実には、漏れ検査を目視でおこない、数値的にとらえられなく、漏れ量０を検出する方法はないのである。
【００２０】ある限界量までの漏れを許容し、その限界量以上の漏れの有無を検出するのである。
【００２１】漏れては困るもの、ガス器具、水道器具、電気器具、食品、薬品、雑貨品、自動車、その他、空・油圧関係、土木・建築関係、医療器具リーク溶積、計測時間、設定
2018165570.tif 000028
量が計算される
【００２２】水没リークテスト、流量、直圧方式併用リークテスト、差圧方式ヘリウムリーク・テスガバーナー用、エアーリーク、ヘリウムリークはシール治具によるものである。
部材１、２により固定６、ナツトを４に移動、５のネジ有りで完全に固定するのである。
【００２３】５を６にネジを切り、挿入し、予め６を４に移動した後に５、７を製造ライン装置に７に挿入し、負荷価値８に接続するのである。ベルトコンベア、ラインレス生産方式の足がかりとなる治具の一部に使用することで本発明のポール型ボルトネジが有効で効果があるのである。
【００２４】大量生産に入るベルトコンベアに於いて１、２の部材はほとんどベルトコンベアに１、２、７が施されて折り、６のナツトが移動  ５が挿入され、負荷価値８に固定するのである。
【００２５】プリント基板の製造ラインには、ゲルマニウムメツキ素材を使用することで、電気エネルギーによる影響を受けない絶緑効果があるのである。導体と絶緑体の中間素材である半導体を使用したポール型ボルトネジである。
【００２６】アルフアコンベアは軽量かつコンパクトな設計で構造もシンプルな為、部品やベルトの蛇行、片寄りの心配がなく、わずらわしい調整が不要である。これに本発明ポール型ボルトネジを使用することでいっそうの効果があるのである。
【００２７】アルミで小型容量、手間いらず必要なピツチ、幅を調整、ベルトが常に最適シンプル、スピードコントロールモータ用スイツチイグニツシヨンモーター用スイツチ、オプシヨンイホルダーフロツグガイドなどアルフアコンベアになくてはならない。
【００２８】ベルトコンベアの下から１０ｍｍ以内に本発明ポール型ボルトネジを使用することで、確実にラインのスピード、蛇行、ねじれが全く無いのである。
【００２９】全長７４ｍｍ  １、２は１８ｍｍ  ４、２０ｍｍ  ５、２５ｍｍ  φ２８ｍｍ  ６、２０ｍｍ  φ２９ｍｍ、ＳｉＣ半導体ポール型ボルトネジを使用。そ性素材を示すネジの発明である。圧縮、引張りのい力を発輝するものである。
【００３０】ポール型ボルトネジは左ネジで振動、回わし回転部のゆるみが有り、こうした事を解決しなければならなく、この左ネジ方式は、右回わりの動作に対し、左ネジはほとんどゆるむことがないのである。
【００３１】この発明ポール型ボルトネジは５にフエライト磁石を使用し、湿気の多いところにも最適でトイレ用品、洗タク機  海洋性測定装置  下水道管理設備、などに対して必需品である。７、８は５〜１０ｍｍの厚みのある補強材であらかじめ各種装置及び製造ラインにそなえられているのである。
【００３２】
2018165570.tif 000029
ｍｍのミゾを入れるのである。
【００３３】この発明ポール型ボルトネジ４のネジ
2018165570.tif 000030
入れる事で湿気、ゴミの付着による不具合いを防止するのである。これは一概に書き述べると弾性とそ性素材をかね備えるのである。
【００３４】これは、必要以上の重い重量が本発明−ポール型ボルトネジに加えられた時に、わずかな重量にゆがみが生じ、その後にこのネジ自体が折れ曲がります。このわずかな許容値の重量に充分耐える様に、×印型のみぞを４のネジ部に設けたのである。
【００３５】９〜１２のミゾは一般に×印型に有
2018165570.tif 000031
も強度が施され、耐久力にすぐれているのである。
【００３６】又、５を短く１０ｍｍ程円錐形にすることで水道用具、トイレ、シヤワー用品による水圧を強く受けずに済
2018165570.tif 000032
２．５ｍｍ程良く水流を切るのである。
【００３７】真空中で無重力化したところでは、半導体素材  ＳｉＣ半導体ネジが使用され、高温・超低温に耐えられのである。又海洋資源探査機にも使用されるのである。
【００３８】東西方向の風をＵとすれば風速Ｕの時間変化は、ＰとしてＰ＝ｄｕ／ｄｃ＝東西方向の気圧傾度力、風は東向きに加速度をうけることになる。この為、気象観測に各種半導体素材ネジを使用することで効用、効果が期待されるのである。
【００３９】図２の４ネジの傾斜角を３７°にする事により、振動、衝撃回わりによりネジがゆるむことがない様に６のナツトに３個のクギ状のサシ金、金具を挿入し、部材１、２を貫通して８の
2018165570.tif 000033
で有る。
【００４０】これは、ダイアモンドのかたさと耐久力のあるステンレス鋼ＳＵＳ３０４を使用し、効用を果すものである。６のナツト３個所は時計の針、１２、５、７の方向にサシ金、金具、傾斜７°でネジ山を示
2018165570.tif 000034
〜４１ｍｍのサシ金、金具のネジのネジの全長のながさで有る。
【００４１】このサシ金、金具の形状はクギ状の形をして折り、強い衝撃、破壊に強く負荷価値に対して強く発輝するものである。又、これに強い磁石を使用、湿気にも抜郡のい力を発輝するフエラ
2018165570.tif 000035
ある。
【００４２】本発明ポール型ボルトネジは棒状の長い形をして折り、部材１、２  １１ｍｍ  ネジ部分  φ１４ｍｍとネジあり部分４、１７°傾斜  ２４ｍｍ  φ１６ｍｍ  ５、ネジナシ部分  １８ｍｍ  φ１４ｍｍ  ナツト  ２６ｍｍ  φ１７．５〜１８ｍｍから成るネジで有る。
【００４３】
2018165570.tif 000036
みぞ中心部φ約１５ｍｍのあたりまでエツクス字型みぞが有り、弾性・そ性素材を示し効果適面である。
【００４４】６、ナツト  ２６ｍｍ  φ１７．５〜１８ｍｍにクギ
2018165570.tif 000037
ステンレス鋼ＳＵＳ３０４、ゲルマニウムメツキ素材又、ＳｉＣ半導体素材を必要耐力素材に合わせて使用することが出来る。
【００４５】クギ状のサシ金、ボルトは７°の傾斜角度を持ち、９、８０６６５Ｎ  Ｎｉ／ＺＵ  ／エポキシ磁石を使用するのである。
これによりサシ金ボルトが６のナツトから落下する事から軽減する事が出来るのである。
【００４６】ゲルマニウムメツキ素材を使用し導体と絶緑体の中間素材で大変有望な素材で、サビに強く、軽量で超低温に耐えるのである。
【００４７】製造ラインのベルトコンベアには蛇行、ねじれ、たわみがなく円滑なスピードが有りこのポール型ボルトネジが数多く使用されるのである。又、モーター油圧Ｎ／ｍｍ２ＰａｓｃａｌＢａｔｅ１６２７より油圧量を調整する。
【００４８】強い摩擦熱からベルトコンベアを守る素材としては、ボールベアリングを各部回転体のある箇所に使用することで安全性がはかられ、仕事能率もよりいっそうＵＰするのである。
【００４９】図１  ３、４、５にステンレス鋼を使用し、４の部分に非常に強い強化プラスチック素材をネジ有り部分にプラスαすることで軽量化、耐久性があるのである。６、サツトにはボルトネ
2018165570.tif 000038
近く貫通させて６、ナツトを１、２を通り
2018165570.tif 000039
止させる７°のボルトネジφ２．５ｍｍである。
【００５０】
2018165570.tif 000040
ぞ、７°傾斜φ２．５ｍｍクギ状ボルトネジ長さ５７〜５９ｍｍで有り、ＳｉＣ半導体素材を使用、左ネジである。
【００５１】エツクス字型みぞは、水流の流れにも効果があり、弾性、そ性の効果、効用を示し、強い重量にも耐え抜くものである。９〜１２、エツクス字型みぞは振動、衝撃、回わる時にゆるみを押さえる働きがあるのである。
【００５２】先に述べたように本発明ポール型ボルトネジは３〜５  １５０ｍｍ  １〜２  ３４ｍｍ  ４、４４ｍｍ  ５、２８ｍｍ６、４４ｍｍ  φ３５ｍｍで、これは大型の場合である。
【００５３】４が６のナツトによりネジを左回わりに左へ切るのである。振動、衝撃、回わりにより、右ネジですとネジがゆるむのである。４、４４ｍｍ  ６、４４ｍｍ  φ３５ｍｍを左ネジにすることでネジがゆるむことが無いのである。
【００５４】ＪＩＳＨ−８６４１では容融亜鉛メツキ３５０ｇ／ｍ２載せないといけない。
【００５５】Ｍ８末満の場合ネジの谷底にメツキが溜まりナツトが入り難くなり、遠心分離機等を使用し、余分な亜鉛を除去するのである。
【００５６】但し、半ネジのボルトの場合の軸部に意識的にメツキを厚く乗せる事によって平均値を上げ３５０ｇ／ｍ２を満足させるのである。
【００５７】３５０ｇ／ｍ２の場合、およそ５０ミクロン、４９０／ｍ２の時７０ミクロン。亜鉛の比重は７、１３３である。
【００５８】一船の電気メツキユニクロクロナントなどの膜厚であるからナツトは入らず、太口のタツプしたものでないといけない。
【００５９】ミクロン値×７  ５０ミクロンで３５０ｇ／ｍ２の附着量である。どぶメツキは膜厚が５０ミクロンで非常に厚く付着し、電気メツキの約１０倍である。
【００６０】雄ネジの外径を削って、雄ねじの方で加減するのである。谷を削ってはめあいを確保するのである。
【００６１】ナツトのつまりなどでスムーズにナツトが入らない事があり、打痕傷についてはメツキへ出す時に、それのない事を確認し取り扱いをていねいにする事で防止できるのである。
【００６２】タツプを切った際に発生する削り屑などが付着したまま溶融亜鉛メツキを施行すると、その屑の上にメツキが付いてしまい固くて入らなくなってしまうのである。
【００６３】充分に前処理をし、注意し、金属の融けた中に浸清する溶融亜鉛メツキの特性から１００％の良品は勤しいのである。
【００６４】ドブメツキ後の強度が８、８保持できるが人体への悪影響があり、使用する時には充分に気を付けなければいけないのである。
【００６５】本発明ポール型ボルトネジは強化プラスチツク素材を使用し、ステンレスと強化プラスチツクプラスした素材のポール型ボルトネジを特徴とする。
【００６６】１〜２の部材に変わる事が各種工業装置にあり、これが鉄ぱんで５の１８ｍｍ  φ１４ｍｍが７の鉄ぱんに挿入され、ナツト  ２６ｍｍ  φ１７．５〜１８ｍｍが左へ移動し、８の鉄ぱんに挿入されて、本発明ポール型ボルトネジの効果を発輝できるのである。これは小型の場合のネジである。
【００６７】ＳｉＣ（炭化珪素）半導体を用いて２００００ボルトの電圧に耐える整流素子を使用して、変電などの変換器には超高耐圧の半導体素子が必要である。
【００６８】ＳｉＣはＳｉより絶縁破壊や熱に強い特長を有し、次世代の電力変換用半導体としてすぐれているのである。
【００６９】２００００ボルト以上の耐圧を示すＰｉＮダイオード（整流素子）を実現し、１８０ミクロンの厚さを有する高純度ＳｉＣ結晶を用い、超高耐圧を得たのである。
【００７０】電界集中を緩和し、空間変調型接合終端構造を用いたのである。ポリイミド膜を用いた表面保護を施し、表面での放電を抑制した。
【００７１】低い電圧で素子は絶縁破壊を起こし、理論値の約半分（５０％）程度の耐圧しか得られない、ＰＮ接合の周辺部に局所的にアルミニウムを適切な密度でイオン注入し、２００００ボルト以上の耐圧である。これにより上記のように本発明ポール型ボルトネジに使用することでよりいっそう効果が期待されるのである。
【００７２】溶融亜鉛メツキを施した高力ボルトを建築構造物に使用するとき、メツキ付着量は５５０ｇ／ｍ２以上としており、長期防錆に優れている。
【００７３】ナツトはねじ加工後にメツキするため、ねじ部の防錆も十分確保され、ナツトはメツキ後に潤滑処理を施しているため、トルク係数値は安定しており、ナツト回転法による心行性に優れているのである。
【００７４】配管には、手動トルクレンチ、油圧ポルトテンシヨナ、フランジスプレツダ、油圧ブーラ、ステンレス製管フランジ、ステンレス製ねじ込み管継手、ステンレス製突合わせ溶接式管継手。
【００７５】ステンレス製サニターリ継手、回転継手、センタージヨイント、ロータリージヨイント、ロータリー洗浄ノズル各種伸縮継手、各種機能性カバー、各種粉粒体輸送シユート、免震継手
【００７６】本発明ポール型ボルトネジは上記のような部類以上に使用されるのである。
【００７７】ステンレスは鉄をベースにクロムやニツケルを含有した合金素材で錆びない。耐久性、耐食性、強度が高く非磁性である。
【００７８】ステンレス板ＳＵＳ３０４は耐久性、耐食性に優れ、磁石がつく素材である。
【００７９】本発明ポール型ボルトネジにステンレスを使用する事は大変優れ、丈夫で、軽量ダイアモンドの様なかたさがあり使用するのである。
2018165570.tif 000041
【００８０】４、傾斜角度１７°ネジのｌ２４ｍｍ  φ１６ｍｍでナツト２６ｍｍ  φ１７．５〜１８ｍｍ、ナツトが部材１、２の方へ移動し鉄ぱん７に１〜５を挿入、８へ１〜２を接続し
2018165570.tif 000042
【００８１】４のネジ山の谷に９〜１２のエツクス型のみぞを作り、水流と気体の影響に良くするためにネジの谷にみぞ９〜１２の４つのみぞを設けたので有る。
【００８２】水圧は、水により生じる水自体または物体に及ぼす圧力のこと。水を伝達媒体とした圧力のことも水圧と呼ぶことが多い。
【００８３】容器の中に入れられた水は、容器側面や底面を押し、水中に物体があればそれを押し、水中に物体があればそれを押し、水分同士も押し合うことを水圧
2018165570.tif 000043
カルの原理により垂直、下方向の力が少し強くなると言う原理により４のネジの谷にエツクス字型みぞを設けたのである。
【００８４】気体の圧力、容器  内の気体分子はどの分子も同じ力で壁に衝突し、容器の真ん中付近の分子だけが勢いが強く、端の方の分子は勢いが弱い、Ｐ＝Ｆ／Ｓ分子の熱運動では、温度が高いほど、圧力は大きくなる。
2018165570.tif 000044
【００８５】図３  ９、４２ｍｍ  ３２°  φ３４ｍｍ  １０、１４ｍｍ  ３２°φ３４ｍｍ  １１、１１ｍｍ  φ３４ｍｍ  １２〜１４
2018165570.tif 000045
じめ９からナツト１５が右の方に移動４２ｍｍで静止し、１２〜１４のサシ金、金具を挿入、クギ状の金具である。１５、ナツトは９と１０の間の連結用のナツトである。１２〜１４のサシ金、金具は時計の針の１２、５、７、時の位置に有るのである。
【００８６】１２〜１４のクギ状のサシ金、金具は、ステンレス鋼ＳＵＳ３０４を使用することで耐久性、耐久力があり丈夫である。
【００８７】１２〜１４のサシ金、金具はφ２．８ｍｍで長さ１１．５ｍｍで１０、１４ｍｍのネジ無し部分に部材１〜２の鉄ぱんを入れ固定するものである。必要性により、部材がいらない製造ラインもある。
【００８８】図１〜図３は必要性のある所では、継手、各種ステンレス継手、各種ステンレス継手  各種コンベア、製造組立て関係、自動車部によるリークテスター、各測定用治具、電動ツール、エアツールＵ字型セルラインなど多様に使用されるために補助的に備えられるポール型ボルトネジである。
【００８９】１２〜１４のサシ金、金具は重要性のあるところではボルトネジであり、７°のネジ山傾斜で有る。ナツトの長さ２４ｍｍである。
【００９０】１５、ナツトは９と１０を連結し、サシ金ボルトを取り去り１１へと移動するのである。
又１１から９へと移動し且つ９と１０によるところに１５、ナツトで連結をなすもので有る。図３によることは、工具を作業終了後に収納するものである。
【００９１】１２〜１４のサシ金、ボルトネジはフエライト磁石を使用  このボルトは＋であり、効用があり、静音設計がなされ、迅速且つ合理的である。
2018165570.tif 000046
【００９２】ＦＲＰは各種建築、資材、上下水道処理場覆蓋、機器設置  軽量基礎、サンジエルＧは高い強度と耐水性を備えており、構造体として使用、ポール型ボルトネジに応用すると強度に優れ、耐久性、耐久力軽量化がはかられる素材である。
【００９３】繊維強化プラスチツク、ガラス繊維などの繊維をプラスチツクの中に入れて強度を向上させた複合材料である。
【００９４】炭素繊維強化プラスチツクはエボキシ樹しを用いカーボンと呼ばれ  強い強度と軽さを併せ持つ材料、ゴルフクラブのシヤフト、釣り竿、航空機、自動車、産業用建築、橋梁の耐震補強、建設分野など本発明ポール型ボルトネジの補助的な部分に使用されるのである。
【００９５】その他、自動車フレーム、パーツ航空の
2018165570.tif 000047
ニロンなどを補強材として加えたプラスチツク製品、自動車体、ボート、ヘルメツトである。
【００９６】プラスチツクの引張強さ、弾性率は２〜４ｋｇｆ／ｍｍ２、２００〜３００ｋｇｆ／ｍｍ２、鉄やアルミニウムの引張強さ１０〜５０ｋｇｆ／ｍｍ２弾性率７０００〜２１０００ｋｇｆ／ｍｍ２に対してかなり小さい、合成樹脂として生み出されたのが強化プラスチツクである。上記によりこのネジにはいかに強化プラスチツクが必要であるかが分かるのである。
【００９７】図１は本発明ポール型ボルトネジである。
【００９８】図２は本発明ポール型ボルトネジである。
【００９９】図３は本発明ポール型ボルトネジである。
【０１００】繊維強化ゴムを部材１、２に使用する事も出来るのである。又、７、８に付いても同じ様に自動車のフロント、リヤーガラス、排気管の接続部と同じように使用する事でポール型ボルトネジの性能が向上するのである。
【０１０１】又炭素繊維ＦＰＲにもこのネジが使用され続けるのである。繊維強化プラスチツクにもこの本発明ポール型ボルトネジにプラスチツクが使用され、耐久性、耐久力、丈夫であり、軽量化がはかられ、引張り強さ、弾性の点ではアルミニウムには少しすくないが、ＦＲＰにまちがいがないのである。
【図面の簡単な説明】
【０１０２】
【図１】側面図
【図２】側面図
【図３】平面図
【図４】側面図  平面図  １５
【図５】平面図
【符号の説明】
【０１０３】１  部材
２  部材
３  １、２部材  １１ｍｍ  φ１４ｍｍ
４  ネジありクランク角（１１°−１７°）１７°２４ｍｍ  φ１６ｍｍ
５  ネジなし  １８ｍｍ  φ１４ｍｍ
６  ナツト  ２６ｍｍ  φ１７．５〜１８ｍｍ
図１
３  部材１、２  １１ｍｍ  φ１４ｍｍ
４  ネジあり  ２４ｍｍ  クランク角  １１°−１７°
５  ネジなし  １８ｍｍ  φ１４ｍｍ
６  ナツト  ２６ｍｍ  φ１７．５〜１８ｍｍ
７  鉄ぱんＡ
８  鉄ぱんＢ
図２
2018165570.tif 000048
図３
９  ネジあり  ４２ｍｍ  クランク角  ３２°  φ３４ｍｍ
１０．１４ｍｍ  クランク角  ３２°  φ３４ｍｍ（２５°−３２°）
ネジなし
１１  １１ｍｍ  φ３４ｍｍ
2018165570.tif 000049
φ  ２．８ｍｍ
図４
９  ４２ｍｍ
１０  １４ｍｍ
１１  １１ｍｍ
2018165570.tif 000050
１５  ナツト外側  φ３６ｍｍ
（ナツトＡ・ナツトＢ）
図５
１２  ボルト軸  時計１２時の位置
１３  ボルト軸  時計７時の位置
１４  ボルト軸  時計の５時の位置
１５  ナツト  外側  φ３２ｍｍ
（１２〜１４、ボルトのみぞ）